(57)【特許請求の範囲】
【請求項１】
集団飼育では著しく生残率が低い甲殻類又は実験的にもしくは商品的に個別飼育が必要な甲殻類であるアカザエビを水槽内に水平に配設されたメッシュ状の飼育容器内に個別に収容し、以て飼育対象アカザエビの履歴の把握を容易ならしめてトレーサビリティーの実践を可能となし、
該飼育容器は排泄物と残餌とが通過可能なメッシュにより形成され、
該飼育容器は上端に開口部を備え、
該飼育容器には少なくとも一つの注水口を備えさせ、
該飼育容器には各別に新鮮な飼育水がよどみなく注水されると共に通気がまんべんなく到達するようになし、
前記水槽内に一定方向の水流が巡環している飼育環境を有し、
排水を浄化清浄することにより再び飼育水として使用し、前記水槽内の飼育水を利用して強制的に水流をつくることが可能な循環的な飼育環境を有し、
該飼育容器内のアカザエビの観察、取り上げ、給餌等の飼育管理が容易であり、
該飼育容器は水槽に対し着脱自在であり、容器サイズ又はメッシュサイズの異なる他の飼育容器と交換することができ、
該飼育容器は水槽内に該水槽の底面から上方に離れた状態で配設され、該飼育容器の外部へ通過した排泄物と残餌とは、一定方向の水流により水槽の底面付近を移動して水槽の排出口に運ばれ、水槽の外部へ排出されるようにしたことを特徴とするアカザエビの飼育方法。
【請求項２】
前記飼育水は海洋深層水であることを特徴とする請求項１に記載のアカザエビの飼育方法。
【発明の詳細な説明】
【技術分野】
【０００１】
本発明は、甲殻類の飼育方法及びその方法により飼育された甲殻類に関するものであり、更に詳しくは、飼育容器内を良好な環境状態に保持し、飼育管理が効率的であり、飼育容器内において甲殻類を個体別に飼育する甲殻類の飼育方法に係るものである。
【背景技術】
【０００２】
甲殻類は産業上重要な種類であり、試験研究的、学習教材的なものから産業的なものまで数多くの増養殖事業が実施されてきた。しかしながら、甲殻類を飼育する場合において、共食い、闘争等の個体間関係、病気の感染等は飼育生残率を低下させる大きな原因であった。さらに、生残率の低下ばかりではなく、体の一部の損傷による商品価値の低減も大きな問題であった。さらには、近年はトレーサビリティーの実践等、飼育対象生物の履歴の把握が必要となっている。これらのことは、甲殻類を個別に管理の行き届いた飼育をすることにより解決するものと考えられる。
【０００３】
そこで、飼育対象の甲殻類の生残率を向上させることを目的に個体間の干渉をなくすため、個体別に飼育する方法が開発されてきた。しかしながら、それら従来の方法においては、固定された飼育容器を使用し、観察・取り上げ・給餌等の飼育管理が容易ではないなど非効率であり、或いは他の飼育容器内を通過した飼育水が供給されるなど各飼育容器内に新鮮な飼育水が供給されず、通気も各飼育容器にまんべんなく到達するようにはなっていないなどの良好な飼育環境状態が保持されていなかった。飼育管理が容易で、飼育容器内を良好な環境状態に保持し、甲殻類を個体別に飼育する方法に関する特許文献はなく、その開発が必要となっている。
【０００４】
さらには、多数の甲殻類について個別に管理の行き届いた飼育をするためには、飼育に必要なスペースが大幅に増大するという大きな課題があり、飼育スペースを圧縮したコンパクトな飼育方法の開発も必要となっている。  
【発明の開示】
【発明が解決しようとする課題】
【０００５】
甲殻類を飼育する場合において、共食い等の個体間関係、病気の感染等は飼育生残率を低下させる大きな原因であり、体の損傷による商品価値の低減も大きな問題であった。さらには、近年はトレーサビリティーの実践等、飼育対象生物の履歴の把握が必要となっている。これらのことは、甲殻類について個別に管理の行き届いた飼育をすることにより解決するものと考えられるが、従来の方法では、飼育管理が非効率であり、良好な飼育環境状態が保持されていなかった。  
【０００６】
本発明は、これらの問題を解決するために、飼育容器内を良好な環境状態に保持し、飼育管理が効率的であり、飼育容器内において甲殻類を個体別に飼育する甲殻類の飼育方法を提供すると共に、このような方法で飼育された甲殻類を提供することを目的とする。
【課題を解決するための手段】
【０００７】
上記課題を解決するために、本発明者は、鋭意努力した結果、下記の如き甲殻類の飼育方法及びその方法により飼育された甲殻類を提供する。
【０００８】
（１）集団飼育では著しく生残率が低い甲殻類又は実験的にもしくは商品的に個別飼育が必要な甲殻類であるアカザエビを水槽内に水平に配設されたメッシュ状の飼育容器内に個別に収容し、以て飼育対象アカザエビの履歴の把握を容易ならしめてトレーサビリティーの実践を可能となし、
該飼育容器は排泄物と残餌とが通過可能なメッシュにより形成され、
該飼育容器は上端に開口部を備え、
該飼育容器には少なくとも一つの注水口を備えさせ、
該飼育容器には各別に新鮮な飼育水がよどみなく注水されると共に通気がまんべんなく到達するようになし、
前記水槽内に一定方向の水流が巡環している飼育環境を有し、
排水を浄化清浄することにより再び飼育水として使用し、前記水槽内の飼育水を利用して強制的に水流をつくることが可能な循環的な飼育環境を有し、
該飼育容器内のアカザエビの観察、取り上げ、給餌等の飼育管理が容易であり、
該飼育容器は水槽に対し着脱自在であり、容器サイズ又はメッシュサイズの異なる他の飼育容器と交換することができ、
該飼育容器は水槽内に該水槽の底面から上方に離れた状態で配設され、該飼育容器の外部へ通過した排泄物と残餌とは、一定方向の水流により水槽の底面付近を移動して水槽の排出口に運ばれ、水槽の外部へ排出されるようにしたことを特徴とするアカザエビの飼育方法（請求項１）。
【０００９】
（２）前記飼育水は海洋深層水である（請求項２）。
【発明の効果】
【００１０】
［請求項１の発明］
飼育容器内を良好な環境状態に保持し、飼育管理が効率的であり、飼育容器内において甲殻類を個体別に飼育する甲殻類の飼育方法の提供が可能となる。該飼育方法は、試験研究的、学習教材的なもののみならず、産業的な増養殖事業においても使用することができる。さらに、飼育対象の甲殻類の生残、成長が向上し、飼育管理が効率的であるため、効率的な増養殖事業が可能となるという実用性に優れた効果を有するものである。さらに、個体別の飼育であるため、飼育対象甲殻類の履歴の把握が容易となり、トレーサビリティーの実践が可能となる。
【００１１】
水槽内に一定方向の水流が巡環している飼育環境を有するため、飼育容器内は一層良好な環境状態に保持される。
【００１２】
排水を浄化清浄することにより再び飼育水として使用し、水槽内の飼育水を利用して強制的に水流をつくることが可能な循環的な飼育環境を有するため、飼育容器内はさらに良好な環境状態に保持され、飼育水を効率的、省力的に利用することができる。
【００１３】
この飼育方法は、集団飼育では著しく生残率が低い甲殻類又は実験的にもしくは商品的に個別飼育が必要な甲殻類であるアカザエビの場合に、特に好ましく用いられる。
【００１４】
［請求項２の発明］
飼育水として海洋深層水を用いることにより、特に好ましい飼育環境が得られる。
【発明を実施するための最良の形態】
【００１５】
本発明における甲殻類には、増養殖事業、飼育実験、学習教材の対象とされる世界の全ての甲殻類が含まれる。
【００１６】
すなわち、本発明における甲殻類には、例えば、タカアシガニ、オオエンコウガニ、タラバガニ、ハナサキガニ、イバラガニモドキ、イバラガニ、エゾイバラガニ、ケガニ、クリガニ、アサヒガニ、イシガニ、シマイシガニ、ヒラツメガニ、ショウジンガニ、ガザミ、タイワンガザミ、ノコギリガザミ、ジャノメガザミ、サワガニ、モクズガニ、中国モクズガニ、ブルークラブ、ダンジネスクラブ、ヨーロッパケアシガニ、ヨーロッパイチョウガニ、ロッククラブ、レッドクラブ、タスマニアオオガニ、ズワイガニ、ベニズワイガニ、アカザエビ、クルマエビ、ウシエビ、コウライエビ、クマエビ、ヨシエビ、シバエビ、モエビ、アカエビ、ツノナガチヒロエビ、ヒゲナガエビ、ジンケンエビ、ボタンエビ、トヤマエビ、ヒゴロモエビ、モロトゲアカエビ、ホッコクアカエビ、ホッカイエビ、イセエビ、ウチワエビ、セミエビ、ロブスター、サクラエビ、シラエビ、コシオリエビ、シャコ、テナガエビ、スジエビ等の食用甲殻類が含まれる。
【００１７】
本発明における甲殻類には、さらに、食用のみでなく、オトヒメエビ、ショウグンエビ、アカシマモエビ、サラサエビ、ヒオドシエビ、ヌマエビ、テッポウエビ、ザリガニ、ヤドカリ、ヤシガニ、イソガニ、ワレカラ、ヨコエビ等の飼育、鑑賞、学習教材用等の甲殻類も含まれる。
【００１８】
本発明による甲殻類の飼育方法においては、甲殻類を水槽内に配設されたメッシュ状の飼育容器内に個別に収容し、該飼育容器には新鮮な飼育水がよどみなく注水されると共に通気がまんべんなく到達するようになし、該飼育容器内の甲殻類の観察、取り上げ、給餌等の飼育管理が容易であり、該飼育容器は水槽に対し着脱自在であり、容器サイズ又はメッシュサイズの異なる他の飼育容器と交換することができ、該飼育容器は水槽内に該水槽の底面から上方に離れた状態で配設され、該飼育容器の外部へ通過した排泄物と残餌とは、一定方向の水流により水槽の底面付近を移動して水槽の排出口に運ばれ、水槽の外部へ排出されるようになす。
【００１９】
飼育容器が収容された水槽内は、一定方向の水流が巡環している飼育環境であることが好ましい。けだし、効率良く一定方向の水流を作り出し、飼育容器の外部へ通過した排泄物と残餌とを効率良く水槽の排出口に運び、水槽外部へ排出することにより、飼育容器内を良好な環境状態に保持することができるからである。
【００２０】
排水を浄化清浄することにより再び飼育水として使用し、水槽内の飼育水を利用して強制的に水流をつくることが可能な循環的な飼育環境であることが好ましい。けだし、排水をろ過手段等の浄化装置を用いて浄化清浄することによりこれを再び飼育水として使用すると共に、水槽内の水流を確保するために水槽内の飼育水を利用して循環ポンプにより強制的に水流をつくることにより、効率的、省力的に飼育水を利用することができるからである。
【００２１】
また、本発明は、保持体内に引出し状の複数の飼育容器をそれぞれ挿脱自在に保持させ、該飼育容器は保持体内にて上下方向又は水平方向に配設し、各飼育容器内に甲殻類を個別に収容し、各甲殻類を個別に管理の行き届いた状態で飼育することを特徴とする甲殻類の飼育方法を提供する。
【００２２】
特に飼育容器を上下方向に配設することによる飼育スペースの圧縮と、管理の行き届いた飼育が可能となる。限られた面積においても、飼育容器を上下方向に積み上げることにより、飼育収容量を増加させることが可能である。
【００２３】
飼育水が飼育容器内に注水され、飼育容器内の飼育水が飼育容器外へ排水される飼育環境であることが好ましい。けだし、飼育容器内を良好な環境状態に保持することができるからである。
【００２４】
本発明による飼育方法は、特に、甲殻類が集団飼育では著しく生残率が低い種類又は実験的にもしくは商品的に個別飼育が必要な種類であるときに、著しい効果を発揮する。けだし、飼育する甲殻類が例えばガザミ類、モクズガニ類、ロブスター類、イセエビ類、アカザエビ類、クルマエビ類等の如く、共食い、闘争等の個体間関係が顕著な甲殻類である場合には、飼育生残率の向上及び商品価値低減の防除において、顕著な効果が発揮されるからである。
【００２５】
本発明による飼育方法は、飼育する甲殻類がアカザエビＭetanephrops japonicusであるときに、特に顕著な効果を発揮する。けだし、本種は、プレゾエアとしてふ化し、摂餌することなく３時間以内にほとんどがメガロパ（ポストラーバ）に脱皮する。そしてメガロパは１齢稚エビに脱皮する。そのため、ゾエア幼生期をもつアカザエビ類、ロブスター類等と比較して、その成長段階においてゾエア幼生期がなく、発達した成長段階から飼育・養殖が可能であるため、高い生残率が確保されるからである。
【００２６】
因みに、アカザエビ Ｍetanephrops
japonicusは、銚子から南日向灘の水深 ２００〜４００ｍの砂泥底に生息し、体長２０ｃｍに成長する高級食用種である。
【００２７】
甲殻類が若齢期にあるときは、請求項１〜３記載の甲殻類の飼育方法を用い、甲殻類が成体期にあるときは、請求項４、５記載の甲殻類の飼育方法を用いることが好ましい。けだし、サイズが小さく弱いステージである若齢期においては、飼育容器内を良好な環境状態に保持することにより高い生残率が確保され顕著な効果が発揮できるからである。さらには、サイズが大きく広いスペースを専有する成体期においては、立体的に飼育することにより全体的な飼育スペースを圧縮することができ、顕著な効果が発揮されるからである。すなわち、より効率的な飼育管理を実践することができる。  
【００２８】
飼育水は海洋深層水であることが好ましい。海洋深層水は、表層水との比較において、病原菌・細菌数・有害な汚染物質が少ない等の‘清浄性’、周年を通して水温が低い‘低水温性’、水質変動が小さく物理・化学的および微生物学的に安定している‘水質安定性’、硝酸塩・リン酸塩・ケイ酸塩などの無機栄養塩類に富む‘高栄養性’等の水質特性を有する。それらの特徴を持つ海洋深層水を利用することにより、甲殻類の飼育生残率を向上させ、さらには、食品としての安全性が確保され、顕著な効果が発揮されるからである。
【００２９】
海洋深層水は、水深１００ｍ以深の海水であるが、好ましくは、駿河湾の水深３００〜７００ｍから汲み上げたものとする。
【００３０】
以上の方法によって飼育された甲殻類は、資源回復・増大のために必要な放流種苗として、もしくは養殖、蓄養のための種苗あるいは食材として、又は学習教材、展示鑑賞用等として、その用途は広い。
【００３１】
次に、本発明において用いられる図１〜図７に示す飼育容器等について説明する。
【００３２】
符号１に示すものは水槽である。
【００３３】
水槽１内には甲殻類３を各別に収容するメッシュ状の飼育容器５、５・・・をそれぞれ該水槽１の底面７から上方に離した状態で着脱自在（取外し自在）に配設する。甲殻類３は、個別に（各別に）、即ち各飼育容器５に１匹ずつ、飼育容器５に収容される。
【００３４】
各飼育容器５は、飼育水、気体（空気、酸素）、排泄物、残餌等が通過可能なメッシュ９により形成されている。
【００３５】
各飼育容器５は、該水槽１の底面７から上方に離した状態で取外し自在に架台１１上に水平に載置されている。
【００３６】
各飼育容器５は上端に開口部１３を備えている。
【００３７】
各飼育容器５内に新鮮な飼育水１５を各別に供給する飼育水供給手段１７を備えさせる。
【００３８】
飼育水供給手段１７は、他の飼育容器５内を通過していない新鮮な飼育水１５を飼育容器５内に供給する。
【００３９】
即ち、飼育水供給手段１７は、各飼育容器５に対し少なくとも一つの注水口１９を備えている。各注水口１９からは新鮮な飼育水１５がよどみなく飼育容器５内に注水される。符号２０に示すものは、各注水口１９に飼育水１５を供給する飼育水供給管である。
【００４０】
各飼育容器５内に気泡２１を各別に供給する気泡供給手段２３を備えさせる。
【００４１】
気泡供給手段２３は、一例として、通気管２５を介して好ましくは各飼育容器５下方の気泡分散器２７へ気体（空気、酸素）を送り、該気体を気泡分散器２７に備えさせた多数の透孔２９、２９・・・より好ましくは微細な気泡２１、２１・・・として各飼育容器５内に送入するようにしてなるものである。
【００４２】
更に、各飼育容器５外に出た排泄物と残餌とを水槽１の底部を一定方向に流れる水流３１により水槽１の外部に排出させる。
【００４３】
即ち、飼育容器５の外部へ出た排泄物と残餌とが該飼育容器５の周辺ないし水槽１内の底部に留まって飼育環境を悪化させないようにするために、水槽１内に一定方向の水流３１をつくりだすための注水口３３を飼育水供給管２０に備えさせ、当該一定方向の水流３１により排泄物と残餌とが水槽１の底面７付近を移動して水槽１内の底面７に臨む排出口３５に運ばれ、該排出口３５から水槽１の外部へ排出されるようになす。
【００４４】
飼育水１５は好ましくは海洋深層水である。
【００４５】
前記水流３１は水槽１内を巡環する。
【００４６】
即ち、一例として、水槽１を図６に示す巡流水槽となすことにより、効率良く一定方向の水流を作り出し、排泄物と残餌とを水槽１の排出口３５から効率良く水槽１外部へ排出させる。
【００４７】
各飼育容器５に対する光の光量又は光質の調整が可能である。
【００４８】
即ち、一例として、水槽１に開閉自在の蓋３７を取り付け、該蓋３７を閉じることにより各飼育容器５内を暗状態になし、該蓋３７を開けることにより各飼育容器５を天然光下の状態にすることが可能である。
【００４９】
また、該蓋３７の内面に蛍光灯、発光ダイオード等の光源３９、３９・・・を取り付け、該光源３９、３９・・・により光量、光質を調整することが可能である。
【００５０】
飼育水１５の水温調節手段を備えさせる。
【００５１】
即ち、一例として、飼育水供給手段１７に水温調節機４１を備えさせ、該水温調節機４１により飼育水１５の水温調節を行なう。
【００５２】
また、水槽１内にヒーター、クーラー等の水槽内水温調節機４３を配設し、水温調節された飼育水１５が一時的に注水されない場合においても、該水槽内水温調節機４３により水槽１内の水温を調節するようにしてもよい。図６参照。
【００５３】
飼育装置の排水を濾過手段等の浄化手段４５により浄化清浄することにより再び飼育水１５として使用する。図５参照。
【００５４】
水槽１は、一例として、該水槽１内の飼育水１５を利用して強制的に水流をつくることができる循環水槽とする。
【００５５】
即ち、水槽１内の水流３１を確保するために、水槽１内の飼育水１５を利用して循環ポンプ４７により強制的に水流をつくることが可能な循環水槽を用いる。図５参照。
【００５６】
次に、図８〜図１５に示す飼育容器等について説明する。
【００５７】
保持体５１内に引出し状の複数の飼育容器５３をそれぞれ挿脱自在に保持させる。
【００５８】
保持体５１には開口した収納室５４を備えさせる。飼育容器５３は、好ましくは、上端５３ａを開口するが、該飼育容器５３の上端５３ａ等に開閉蓋（図示せず。）を備えさせても差し支えない。該飼育容器５３は、収納室５４に挿脱自在に保持させる。
【００５９】
保持体５１における複数の収納室５４は、上下方向又は水平方向に配設する。
【００６０】
保持体５１における複数の収納室５４は、好ましくは、上下方向に配設する。上下方向に配設した収納室５４に飼育容器５３を挿脱自在に保持させることにより、飼育スペースの圧縮と、管理の行き届いた飼育とが可能となる。すなわち、限られた面積においても、飼育収容量を増加させることが可能である。
【００６１】
飼育容器５３は、収納室５４に対し好ましくは水平方向に挿脱自在とするが、収納室５４に対し傾斜した方向に挿脱自在であってもよい。
【００６２】
保持体５１と飼育容器５３は、軽量かつ強固であって耐水性に優れた材質、例えばポリカーボネート、ポリスチレン、ポリ塩化ビニル、ポリエチレン、ボリプロピレン等により形成される。
【００６３】
飼育容器５３内を良好な環境状態に保持するために、飼育容器５３内に飼育水を注水（５５）する注水手段５６と、該飼育容器５３内の飼育水を該飼育容器５３外へ排水（５７）する排水手段５８とを備えさせる。
【００６４】
すなわち、注水手段５６の注水管５９を介して飼育水が飼育容器５３内に注水（５５）され、飼育容器５３内の飼育水が排水手段５８の排水口６０に移動（６１）し、飼育容器５３外へ排水（５７）される。
【００６５】
飼育環境の清浄化を図る場合には、各飼育容器５３内に飼育水を各別に注水する注水手段５６と、各飼育容器５３内の飼育水を該飼育容器５３外へ各別に排水する排水手段５８とを備えさせる。
【００６６】
すなわち、注水手段５６の注水管５９を介して飼育水が各飼育容器５３内に各別に注水（５５）され、飼育容器５３内の飼育水が排水手段５８の排水口６０に移動（６１）し、飼育容器５３外へ各別に排水（５７）される。
【００６７】
飼育水使用量の効率化を図る場合には、一つの飼育容器５３内の飼育水を他の飼育容器５３内に注水又は排水する注水手段５６又は排水手段５８を備えさせる。
【００６８】
すなわち、一つの飼育容器５３内を通過した飼育水が注水手段５６により他の飼育容器５３内に注水（６２）され、あるいは、一つの飼育容器５３内の飼育水が排水手段５８の排水口６０に移動（６１）し、他の飼育容器内へ排水（６３）される。図１２参照。
【００６９】
飼育容器５３内を良好な環境状態に保持するために、飼育容器５３内を通気する通気手段６４を備えさせる。
【００７０】
通気手段６４は、一例として、通気管６５を介して送入された気体６６（空気や酸素）を気泡分散器６７により気泡６８として各飼育容器５３内に拡散するようにしてなるものである。図１１、図１２、図１４参照。
【００７１】
飼育水としては、表層海水６９、海洋深層水７０又は淡水７１の使用が可能であり、好ましくは、飼育水の水温調節手段７２を備えさせる。図１３、図１５参照。
【００７２】
表層海水６９は、水深１００ｍ以浅の海水である。海洋深層水７０は、水深１００ｍ以深の海水である。
【００７３】
水温調節手段７２により水温調節された表層海水６９、海洋深層水７０又は淡水７１の飼育水を注水管７３を介して各飼育容器５３に注水することにより、多種類の飼育条件を設定することができ、多種類の甲殻類３を飼育することができる。
【００７４】
以下、本発明の実施例について説明するが、本発明はこれら実施例によって何ら限定されるものではない。
【実施例１】
【００７５】
［環境向上型飼育実験］
＜材料と方法＞      
人工飼育下で育てたふ化からの日齢１００日のアカザエビ１０３個体を実験に供試した。それらの頭胸甲長はおよそ７〜８ｍｍであった。飼育条件として、対照飼育区と環境向上型飼育区（図１）との２実験区を設定した。アカザエビは、各々の飼育容器内に個別に収容し、飼育水として海洋深層水を使用し、実験開始２００日（日齢３００日）まで飼育した。両実験区とも、水温は約１５℃に調節し、餌料は冷凍アミエビとサクラエビとを２日おきに十分量与えた。対照飼育区としては、１．５トン容水槽内水槽内に、排泄物、残餌等が通過可能な約２リットル容のメッシュ状飼育容器を直接置き、水槽内の一箇所から注水しながら、２４個体を飼育した。環境向上型飼育区としては、上記飼育容器を架台の上に置くことにより水槽の底面と接することなく配設し、各飼育容器内の各一箇所から注水し、さらに各飼育容器にまんべんなくエアレーションが到達するようにしながら、７９個体を飼育した。さらに、水槽内に一定方向の水流をつくり、水槽の底面付近を排泄物と残餌とが移動して排出口から水槽の外部へ排出するようにした。
【００７６】
＜結果＞  
対照飼育区と環境向上型飼育区とのアカザエビの生残率は、実験開始１００日後は各々５４．２％、９４．９％、飼育開始２００日後は各々１２．５％、８１．０％、飼育開始３００日後は各々４．２％、６８．４％であり、対照飼育区と環境向上型飼育区との間には、１００日以降有意な差（χ
２検定、 p <０．００ １）が認められ、環境向上型飼育区の生残率が高かった。飼育開始３００日後の頭胸甲長はおよそ１７〜２０ｍｍであった。
【００７７】
以上の結果より、環境向上型飼育は生残率が向上し甲殻類の飼育に効率的であった。
【実施例２】
【００７８】
［引出型飼育実験］
＜材料と方法＞    
駿河湾で漁獲された４７個体のアカザエビを実験に供試した。それらの頭胸甲長はおよそ４〜６ｃｍであった。飼育条件として、対照飼育区と引出型飼育区（図８に示すように、引出し状の飼育容器を用いた飼育区）との２実験区を設定した。アカザエビは、各々の飼育容器内に個別に収容し、飼育水として海洋深層水を使用し、実験開始３００日まで飼育した。水温は約７℃に調節し、餌料は冷凍サクラエビを２日おきに十分量与えた。対照飼育区としては、５トン容水槽内に、通水性の約１８リットル容飼育容器を平面的に設置し、水槽内の一箇所から注水しながら、２３個体を飼育した。今回は、面積０．２６７ｍ
２、容積０．０８３ｍ３のコンテナを、１区画が約１８リツトルになるように４スペースに区切って使用した。引出型飼育区としては、引出し状の飼育容器を立体的（上下方向）に配設し、各飼育容器内の各一箇所から注水し、各一箇所から排水することにより換水し、さらに各飼育容器でエアレーションをしながら、２４個体を飼育した。今回は、約４リットル容飼育容器８個（
２列４段）が、面積０．１４ｍ ２、容積０．０５ １ｍ３のケースに収まるものを使用した。
【００７９】
＜結果＞  
対照飼育区と引出型飼育区とのアカザエビの生残率は、実験開始１００日後は各々９５．７％、８３．３％、飼育開始２００日後は各々８
２．６％、７９．２％、飼育開始３００日後は各々５６．５％、６６．７％であり、対照飼育区と引出型飼育区の間には、有意な差（χ ２検定、 p >０．０５）は認められなかった。
【００８０】
施設に設置した場合の飼育に要する１個体あたりの必要面積は、対照飼育区では０．０６７ｍ ２、引出型飼育区では０．０１８ｍ
２となり、引出型飼育により飼育スペースを２７％まで圧縮することができた。引出型飼育は今回１ケース４段のものを採用したが、仮に３ケースを立体的（上下方向）に配設して１２段にした場合は飼育スペースは変化せずに収容量をさらに３倍に増加させることができ、飼育スペースを９％まで圧縮可能となる。
【００８１】
以上の結果より、引出型飼育区は、従来の生残率を維持しながら飼育スペースを大幅に圧縮することができるため、甲殻類の飼育に効率的であった。
【図面の簡単な説明】
【００８２】
【図１】甲殻類を各別に収容するための飼育容器を示す断面図である。
【図２】同上飼育容器を示す斜視図である。
【図３】飼育装置の一例を示す断面図である。
【図４】同上飼育装置を示す斜視図である。
【図５】同上飼育装置の別の一例を示す斜視図である。
【図６】同上飼育装置の更に別の一例を示す斜視図である。
【図７】気泡分散器の一例を示す斜視図である。
【図８】保持体内に保持された飼育容器の一例を示す断面図である。
【図９】飼育容器の一例を示す斜視図である。
【図１０】保持体内に保持された飼育容器の別の一例を示す斜視図である。
【図１１】飼育容器の別の一例を示す斜視図である。
【図１２】注水手段と排水手段と通気手段とを概略的に示す断面図である。
【図１３】保持体内に保持された飼育容器の更に別の一例を示す斜視図である。
【図１４】注水手段と排水手段と通気手段とを概略的に示す斜視図である。
【図１５】保持体内に保持された飼育容器の更に別の一例を示す斜視図である。
【符号の説明】
【００８３】
１  水槽
３  甲殻類
５  飼育容器
７  底面
９  メッシュ
１１  架台
１３  開口部
１５  飼育水
１７  飼育水供給手段
１９  注水口
２０  飼育水供給管
２１  気泡
２３  気泡供給手段
２５  通気管
２７  気泡分散器
２９  透孔
３１  水流
３３  注水口
３５  排出口
３７  蓋
３９  光源
４１  水温調節機
４３  水槽内水温調節機
４５  浄化手段
４７  循環ポンプ
５１  保持体
５３  飼育容器
５３ａ  上端
５４  収納室
５５  注水
５６  注水手段
７７  排水
５８  排水手段
５９  注水管
６０  排水口
６１  移動
６２  注水
６３  排水
６４  通気手段
６５  通気管
６６  気体
６７  気泡分散器
６８  気泡
６９  表層海水
７０  海洋深層水
７１  淡水
７２  水温調節手段
７３  注水管
【図１】
0005150972.tif 000002
【図２】
0005150972.tif 000003
【図３】
0005150972.tif 000004
【図４】
0005150972.tif 000005
【図５】
0005150972.tif 000006
【図６】
0005150972.tif 000007
【図７】
0005150972.tif 000008
【図８】
0005150972.tif 000009
【図９】
0005150972.tif 000010
【図１０】
0005150972.tif 000011
【図１１】
0005150972.tif 000012
【図１２】
0005150972.tif 000013
【図１３】
0005150972.tif 000014
【図１４】
0005150972.tif 000015
【図１５】
0005150972.tif 000016